(57)【要約】      （修正有）【課題】加工していないフィルター材料を着脱可能に装着できて、構造が簡単なフレームを提供する。また、そのフレームを用いて製作された衛生マスクを提供する。【解決手段】左右の頬部へ左右の端部を配置可能な長さであり、該左右の頬部及び鼻背へ密着するように前後方向へ湾曲していて、手指の力で塑性変形可能な、線状の芯材１０と、該芯材の該左右の端部へ固定されていて、該芯材の外部へ左右の端部が配置されている、柔軟かつ伸縮可能な、弾性紐２０と、該芯材へ固定されている該弾性紐、又は、該芯材から独立している弾性紐の、左右の端部へ固定されている、左右一対のクリップ３０、を備える。【選択図】図１
0003227132.tif 000002
【実用新案登録請求の範囲】
【請求項１】
左右の頬部へ左右の端部を配置可能な長さであり、該左右の頬部及び鼻背へ密着するように前後方向へ湾曲していて、手指の力で塑性変形可能な、線状の、芯材と、
該芯材の該左右の端部へ固定されていて、該芯材の外部へ左右の端部が配置されている、柔軟かつ伸縮可能な、弾性紐と、
該芯材へ固定されている該弾性紐、又は、該芯材から独立している弾性紐の、左右の端部へ固定されている、左右一対のクリップ、
を備えることを特徴とするマスク用フレーム。
【請求項２】
左右の頬部へ左右の端部を配置可能な長さであり、該左右の頬部及び鼻背へ密着するように前後方向へ湾曲していて、手指の力で塑性変形可能な、線状の、芯材と、
中央部へ該芯材が挿入されていて、左右の端部が空洞である、シリコーンゴム製のチューブと、
該チューブ、又は、該芯材から独立している弾性紐の、左右の端部へ固定されている、左右一対のクリップ、
を備えることを特徴とするマスク用フレーム。
【請求項３】
請求項１から請求項２のいずれかに記載した、前記の芯材と、前記の弾性紐と、前記のクリップと、
上部縁辺を形成する折り目部分が該芯材を包囲して、下部縁辺の左右の隅角部が互いに重なり合って該クリップに挟まれていて、鼻孔及び口唇を覆い隠せる大きさの、シート状の、フィルター材料と、
該フィルター材料の左右の縁辺へ配置して、該左右の縁辺を挟んで折り襞を形成している、左右一対の補助クリップと、
を備えることを特徴とする衛生マスク。
【考案の詳細な説明】
【技術分野】
【０００１】
この考案は、人体の口と鼻を覆う衛生マスクを製作するために使用するフレームと、そのフレームを使用して製作される衛生マスクに関するものである。
【背景技術】
【０００２】
衛生マスクは、塵埃、花粉、霧状の液体などの浮遊物を除去するフィルターを用いて、呼吸する空気を濾過する。西歴２０２０年４月の現在、新型ウィルスによる肺炎が世界中に蔓延している。このウィルスは感染者の唾液に含まれている。そして、唾液の飛沫によって空気中へ拡散されて、人から人へ伝染する。ウィルス感染の拡散を防止するために、衛生マスクの着用が推奨されている。
【０００３】
しかし、急速な需要拡大によって、世界中で衛生マスクが不足している。特に、使い捨てマスクと、フィルター用の不織布が不足している。そのため、布地を縫い合わせて衛生マスクを自作する人もいる。しかし、縫製加工又は接着加工など、フィルター材料の加工が必要なため、製作に手間がかかる。また、交換用のマスクも含めて、必要な数を確保するには時間がかかる。
【０００４】
フィルターの交換が容易な衛生マスク用のフレームが公開されている。特許文献１のマスク用フレームは、略四角形のフィルター保持枠へ、専用のフィルターを装着する。このフレームは、金属又は合成樹脂などの素材を加工して製作される。また、フィルターは、ガーゼや不織布などシート状の素材を加工して製作される。
【０００５】
専用フィルターは、ゴム紐などの弾性紐が上縁部に固設されている。フレームへ装着するために、弾性紐の両端部がフィルターへ固設されて、ループ状になっている。また、保持枠へ嵌めるために、フィルターの左右の両側及び下端の縁辺部が折り返されている。そのため、縫製、接着、熱溶着又は圧着などの加工が必要である。
【先行技術文献】
【特許文献】
【０００６】
【特許文献１】特許第５８２０７９８号公報
【考案の概要】
【考案が解決しようとする課題】
【０００７】
この考案の目的は、加工していないフィルター材料を着脱可能に装着できて、構造が簡単なフレームを提供することである。また、そのフレームを用いて製作された衛生マスクを提供することである。
【課題を解決するための手段】
【０００８】
この考案のマスク用フレームは、請求項１に記載したとおり、
左右の頬部へ左右の端部を配置可能な長さであり、該左右の頬部及び鼻背へ密着するように前後方向へ湾曲していて、手指の力で塑性変形可能な、線状の、芯材と、
該芯材の該左右の端部へ固定されていて、該芯材の外部へ左右の端部が配置されている、柔軟かつ伸縮可能な、弾性紐と、
該芯材へ固定されている該弾性紐、又は、該芯材から独立している弾性紐の、左右の端部へ固定されている、左右一対のクリップ、
を備えることを特徴とする。
【０００９】
好ましくは、請求項２に記載したとおり、
左右の頬部へ左右の端部を配置可能な長さであり、該左右の頬部及び鼻背へ密着するように前後方向へ湾曲していて、手指の力で塑性変形可能な、線状の、芯材と、
中央部へ該芯材が挿入されていて、左右の端部が空洞である、シリコーンゴム製のチューブと、
該チューブ、又は、該芯材から独立している弾性紐の、左右の端部へ固定されている、左右一対のクリップ、
を備えることを特徴とする。
【００１０】
この考案の衛生マスクは、請求項３に記載したとおり、
請求項１から請求項２のいずれかに記載した、前記の芯材と、前記の弾性紐と、前記のクリップと、
上部縁辺を形成する折り目部分が該芯材を包囲して、下部縁辺の左右の隅角部が互いに重なり合って該クリップに挟まれていて、鼻孔及び口唇を覆い隠せる大きさの、シート状の、フィルター材料と、
該フィルター材料の左右の縁辺へ配置して、該左右の縁辺を挟んで折り襞を形成している、左右一対の補助クリップと、
を備えることを特徴とする。
【考案の効果】
【００１１】
この考案は、フィルター材料を加工せずに、平面型又はプリーツ型の衛生マスクを簡単に製作できる。そのために使用するマスク用フレームには、塑性変形可能な線状の芯材と、柔軟かつ伸縮可能な弾性紐と、左右一対のクリップを備える。以下に、マスク用フレームの仕組みと、衛生マスクの製作手順を説明する。
【００１２】
線状の芯材は、鼻背及び左右の頬へ密着するように前後方向へ湾曲している。そして、手指の力で塑性変形可能なので、形状を容易に調整できる。よって、装着する人の顔面に適応して、密着度を高めることができる。芯材には、例えば針金などの線状の素材を使用できるので、構造が簡単である。また、曲げ又は接合などの加工をする場合も、容易に加工できる。
【００１３】
フィルター材料はシート状であり、鼻と口を覆って、呼吸する空気を濾過する。そのため、少なくとも、左右の口角を覆い隠す幅が必要である。この考案では、芯材へフィルター材料を装着するときに、上下方向へ折り返して二つ折りにする。そのため、少なくとも、鼻孔と口唇を覆い隠す距離の２倍以上の長さが必要である。好ましくは、上部縁辺の隅角部を左右の目尻の直下へ配置したときに、下部縁辺が胸へ届く長方形が望ましい。フィルター材料を折り畳んで、ここに述べた、必要な幅と長さを得ることも好ましい。ここに述べた条件は、例えば、ガーゼ、ハンカチ、キッチンペーパーなど、市販されている材料によって満足できる。
【００１４】
衛生マスクを頭部へ装着するために、柔軟かつ伸縮変形可能な弾性紐が芯材の端部へ固定されている。この弾性紐を左右の耳又は後頭部へ引っ掛けて、芯材を顔面へ密着させる。湾曲している芯材が鼻背及び左右の頬へ密着することによって、衛生マスク上部の隙間が防止される。よって、汚染されている空気を直接吸入するおそれが無い。また、呼気による眼鏡の曇りが防止される。
【００１５】
左右一対のクリップは、折り畳んだ状態のフィルター材料を挟んで、ズレないように固定する。従って、折り重ねたフィルター材料の厚さよりも、開口部が大きく開くようにする。また、フィルター材料が脱落しないように、閉じた状態を確実に保つようにする。
【００１６】
この考案のフレームを用いて、衛生マスクを製作する手順は以下のとおりである。まず、図１に例示したように、芯材（１０）の片方の端部（１４）を片方の手指で摘まんで、概ね水平に保持する。次に、他方の手で、芯材へフィルター材料（４０）を被せる。フィルター材料の下端を垂らすと、概ね二つ折りの形状になる。
【００１７】
その次に、フィルター材料の中央部分を摘まんで、芯材の中央に位置する鼻当て部分（１２）へ合わせる。合わせた部分がズレないように、他方の手指で、鼻当て部分とフィルター材料を固定する。このとき、図２に例示したように、洗濯バサミ（５０）などを使用して、フィルター材料の中央部分を鼻当て部分へ仮留めしても良い。
【００１８】
その次に、芯材の端部から片方の手を離して、フィルター材料の折り目を芯材の上面へ沿わせる。このとき、図３に例示したように、フィルター材料によって芯材の大部分が覆い隠される。その次に、フィルター材料の下端の隅角部同士が重なるように、指で下方へ引き延ばす。このとき、必要に応じて、図３に例示したように、下部縁辺を上方へ折り返して、上下方向の長さを調整する。
【００１９】
その次に、図４に例示したように、フィルター材料の左右いずれかの縁辺同士を重ねて、下端の隅角部を左右一対のクリップ（３０）の片方で挟む。その次に、左右の残りの縁辺同士を重ねて、下端の隅角部を左右一対のクリップ（３０）の他方で挟む。洗濯バサミなどの仮留め具は、フィルター材料の隅角部がクリップで固定された後に除去する。
【００２０】
このとき、弾性紐（２０）をループ状にして、図４のような耳掛け形状にしても良い。また、弾性紐同士を交差させて、後頭部へ巻き回すようにしても良い。また、芯材から独立している弾性紐の両端にクリップ（３０）を装着して、後頭部へ巻き回しても良い。この場合は、芯材（１０）へ固定されている弾性紐にはクリップを装着せずに、後頭部で結ぶと良い。
【００２１】
このようにして、芯材が上部縁辺を形成し、フィルター材料の下端が下部縁辺を形成するように、フィルター材料を折りたたむ。そして、フィルター材料の下端左右の隅角部をクリップで挟むと、衛生マスクが完成する。フィルター材料の下部縁辺及び左右の縁辺は、クリップへ結んだ弾性紐の張力によって、顔面へ密着する。
【００２２】
次に、完成した衛生マスクの装着方法を説明する。まず、左右の目の直下へ芯材を配置して、弾性紐で耳又は後頭部へ固定する。フィルター材料で鼻と口を覆い隠し、下部縁辺が首の上部へ届くように配置する。フィルター材料が長過ぎる場合は、図３に例示したように、下部縁辺を上へ持ち上げて折り畳む。この場合、クリップは、折り返された後の隅角部へ固定し直す。左右のクリップは下顎の左右へ配置する。そして、下顎底面との間に隙間が生じないように、弾性紐の長さを調整して下部縁辺を緊張させる。
【００２３】
マスクを平面型にする場合は、フィルター材料の下端部が下顎の下端を覆い隠すように、長さを調整する。頬部に隙間が生じる場合は、クリップの装着位置を、フィルター材料の隅角部よりもやや上方へ変更すると良い。
【００２４】
マスクをプリーツ型にする場合は、下端部が下顎の底面を覆い隠すように、フィルター材料の長さを調整する。そして、弾性紐の長さを調整して下部縁辺を緊張させた後に、図１及び図４に例示した折り襞（４２）を作る。この折り襞は、フィルター材料の左右の縁辺を、指で折り重ねると容易に形成できる。このとき、折り襞が緩まないように、図４に例示した補助クリップ（３２）で、折り目を固定することが好ましい。マスクをプリーツ型にすると、頬部との間に隙間が生じないので、フィルター材料の四辺が顔面へ密着する。
【００２５】
以上の手順を経て、衛生マスクが使用可能になる。このフレームを使用すると、市販されている材料をフィルターにして、迅速にマスクを製作することができる。また、フィルター材料の交換も容易である。ゆえに、この考案は、加工していないフィルター材料を着脱可能に装着できて、構造が簡単なフレームを実現する。
【図面の簡単な説明】
【００２６】
【図１】マスク用フレーム及び衛生マスクの第１実施例を示す斜視図である。
【図２】第１実施例の衛生マスクの製作手順を示す第１の斜視図である。
【図３】第１実施例の衛生マスクの製作手順を示す第２の斜視図である。
【図４】第１実施例の衛生マスクの製作手順を示す第３の斜視図である。
【図５】マスク用フレーム及び衛生マスクの第２実施例を示す斜視図である。
【図６】マスク用フレーム及び衛生マスクの第３実施例を示す斜視図である。
【考案を実施するための形態】
【００２７】
以下に、実施例を用いて、この考案をさらに具体的に説明する。但し、この考案は下記の実施例に限定されるものではない。
【００２８】
〔第１実施例〕
この考案のマスク用フレーム及び衛生マスクの第１実施例を、図１から図４までの各図面に示す。図１は、プリーツ型のマスクの完成形を表している。芯材（１０）へ、弾性紐（２０）及びクリップ（３０）及びフィルター材料（４０）が装着されている。芯材は、左右の頬部と鼻背へ密着するように、前後方向へ湾曲している。そして、芯材の中央部分が前方へ突出して、鼻当て部分（１２）を形成している。芯材の左右の端部（１４）は、左右の頬の側面へ配置される。
【００２９】
線状の芯材（１０）には、手指の力で塑性変形する材料を使用する。例えば、アルミニウム線、銅線、焼きなまし鉄線、小径のステンレス線、熱可塑性樹脂などが例示される。熱湯消毒が可能な材料であることが好ましい。
【００３０】
この実施例の場合は、直径３ｍｍのアルミ合金線を湾曲させて、左右の端部が耳の付近へ届くようにしている。芯材の左右の端部（１４）は、円環状に加工して、弾性紐（２０)の端部を結び付けている。図２から図４では、フィルター材料（４０）によって覆われている芯材（１０）を点線で表示した。
【００３１】
柔軟かつ伸縮可能な弾性紐（２０）には、弾性を有する材料を使用する。例えば、ゴムチューブ、ゴムベルト、輪ゴム、ゴム入りの紐などが例示される。例えばシリコーンゴムのように、熱湯消毒が可能な材料であることが好ましい。弾性紐の左右の端部は、芯材の外部へ配置されている。
【００３２】
クリップ（３０）には、フィルター材料を確実に固定できるものを使用する。例えば、剛性を有する樹脂製のクリップ、金属製のクリップなどが例示される。クリップは、熱湯消毒可能であることが好ましい。また、弾性紐を取り付けるための穴を設けるのが好ましい。手頃なクリップを入手できない場合は、事務用の紙挟みクリップを代用しても良い。
【００３３】
この実施例の衛生マスクはプリーツ型である。図１及び図４に示したように、左右の縁辺に折り襞（４２）を形成して、補助クリップ（３２）で固定している。補助クリップ（３２）も、クリップ（３０）と同様のものを使用する。補助クリップは弾性紐へ結ばないので、紐を取り付けるための穴は不要である。
【００３４】
シート状のフィルター材料（４０）には、空気中の浮遊物を濾過可能な材料を使用する。例えば、ガーゼ、ハンカチ、布地、不織布、ペパータオル、キッチンペーパーなどが例示される。また、種類が異なる材料を重ね合わせた複層材料も例示される。洗濯とアイロン掛けによる加熱消毒が可能な材料、又は使い捨て可能な材料であることが好ましい。
【００３５】
図１では、芯材を実線で表示して、フィルター材料（４０）を点線で表示した。この実施例のフィルター材料は、市販させている正方形のハンカチとキッチンペーパーである。二つ折りしたハンカチの間に、霧吹きで湿らせたキッチンペーパーを挟んである。図２は、二つ折りして縦長の長方形になったフィルター材料（４０）を、芯材（１０）へ被せて、四つ折りの正方形にした状態を示している。
【００３６】
図２から図４は、実施例１の衛生マスクの製作手順を示している。その製作手順は、「考案の効果」に前述したので、ここでは説明を省略する。市販の男性用ハンカチは、正方形に四つ折りした後も、上部縁辺の左右の隅角部が目尻の直下へ配置され、下端縁辺が下顎よりも下方へ配置される。よって、衛生マスクに必要は幅と長さを満足する。この実施例では、四つ折りした後のハンカチが長すぎて、首の下部へ届いた。そのため、図３に示すように、下部縁辺を上方へ折り返して、長さを少し短縮している。
【００３７】
〔第２実施例〕
この考案のフレーム及び衛生マスクの第２実施例を、図５に示す。図５は、プリーツ型のマスクの完成形を表している。この実施例の芯材（１０）は、直径１ｍｍのステンレス線である。弾性紐（２０）は、外径３ｍｍのシリコーンゴムチューブである。その弾性紐の中へ、陰影で表示した芯材を挿入してある。ゴムチューブの左右の端部は空洞である。ステンレス線とシリコーンゴムを使用したことによって、このマスク用フレームは熱湯消毒が可能である。
【００３８】
芯材の両端部は、頬の側面よりも上方へ湾曲して、眼鏡の耳かけと同様の形になっている。この実施例の場合は、弾性紐（２０）は１本のゴムチューブである。鼻当て部分（１２）が湾曲しているため、摩擦力によって芯材とゴムチューブの位置がズレない。よって、この弾性紐は芯材の左右の端部（１４）へ固定されている。芯材が耳かけ形状であることと、弾性紐がゴムチューブであることによって、長時間装着しても、耳が痛くならない。
【００３９】
弾性紐（２０）の両端部にクリップ（３０）を結び付けて、フィルターの下端隅角部へ装着している。フィルター材料（４０）は２枚の不織布を重ねたものである。フィルターの左右縁辺には折り襞（４２）を設けて、補助クリップ（３２）で挟んで固定している。左右の頬部及び鼻背へ密着するように、芯材が湾曲していることと、折り襞を設けてプリーツ型にしたことによって、マスクの四辺には隙間ができない。
【００４０】
〔第３実施例〕
この考案のフレーム及び衛生マスクの第３実施例を、図６に示す。図６は、平面型のマスクの完成形を表している。この実施例の芯材（１０）は、直径１ｍｍの銅線である。芯材の左右の端部（１４）は、頬の前面へ配置される。弾性紐（２０）は、外径３ｍｍのシリコーンゴムチューブである。その弾性紐の中へ、陰影で表示した芯材を挿入してある。ゴムチューブの左右の端部は空洞である。銅線とシリコーンゴムを使用したことによって、このマスク用フレームは熱湯消毒が可能である。
【００４１】
鼻当て部分（１２）が湾曲しているため、摩擦力によって芯材とゴムチューブの位置がズレない。よって、この弾性紐は芯材の左右の端部（１４）へ固定されている。芯材へ接続されている弾性紐（２０）は、弾性紐の端部同士を結んである。この弾性紐は、ポリエチレン樹脂性の穴明きベルト（２２）へ設けた２個の穴へ挿通してある。穴の大きさは、弾性紐の外径と同じである。この穴開きベルトを片手で後頭部へ押しつけて、他方の手で結び目を引くと、弾性紐を容易に緊張できる。
【００４２】
この実施例では、弾性紐（２０）を他に２本使用して、片方の端部にクリップ（３０）を結び付けている。クリップを結ぶ位置を変更すると、弾性紐の長さを調節できる。クリップの反対側の端部はリング状になっていて、首の後ろ側へ配置するフックベルト（２４）の両端へ係合している。フックベルト（２４）はポリエチレン樹脂製で、両端部が後方へ突出するように屈曲している。
【００４３】
この実施例のフィルター材料（４０）はガーゼである。市販されているガーゼを折り畳んで、芯材（１０）へ被せて、二つ折りにしている。左右の頬部及び鼻背へ密着するように、芯材が湾曲しているので、マスクの上部縁辺には隙間ができない。下部縁辺及び左右の縁辺は、クリップへ結んだ弾性紐の張力によって、顔面へ密着する。
【符号の説明】
【００４４】
１０  芯材
１２  鼻当て部分
１４  芯材の端部
２０  弾性紐
２２  穴明きベルト
２４  フックベルト
３０  クリップ
３２  補助クリップ
４０  フィルター材料
４２  折り襞
５０  洗濯バサミ（仮留め用）
【図１】
0003227132.tif 000003
【図２】
0003227132.tif 000004
【図３】
0003227132.tif 000005
【図４】
0003227132.tif 000006
【図５】
0003227132.tif 000007
【図６】
0003227132.tif 000008